(57)【特許請求の範囲】
【請求項１】
超音波振動子を機械的に走査させ、任意のタイミング毎に前記超音波振動子を駆動して超音波を送信するとともに、このとき得られたエコー信号を受信して検波し、アナログ信号の受信データとして出力する送受信ユニットと、
前記送受信ユニットから出力される前記アナログ信号の受信データを信号処理するコンピュータ部とが内蔵されるケースを備え、
超音波機器が接続されるコネクタ部が前記ケースに配設された超音波観測用の超音波観測装置において、
前記コンピュータ部と、他の電気回路部との間を分離して前記コンピュータ部からの不要輻射が前記他の電気回路部側に回り込むことを抑制する不要輻射抑制部材を前記ケース内に設け、
前記コネクタ部は、前記ケース内で前記不要輻射抑制部材によって前記コンピュータ部と分離される空間側の前記ケースの壁面に配置し、
前記不要輻射抑制部材は、前記コンピュータ部と、他の電気回路部との間を仕切る状態に分離する導通性を有する隔壁であり、
前記ケースは、筐体の各構成板金部材であるフロントシャーシと、シャーシと、リアパネルと、トップカバーとを有し、
前記隔壁は、その前端部と前記フロントシャーシとの接合部にガスケットが取付けられ、前記隔壁の下端部と前記シャーシとの接合部には溶接部、前記隔壁の後端部と前記リアパネルとの接合部にはネジ止め部、前記隔壁の上端部と前記トップカバーとの接合部には弾性を有するフィンガー部がそれぞれ設けられ、これらの接合部によって前記隔壁と、前記筐体の各構成板金部材との導通を取る取り付け構造であることを特徴とする超音波観測装置。
【発明の詳細な説明】
【０００１】
【発明の属する技術分野】
本発明は、超音波振動子を機械的に走査させ、このとき得られたエコー信号を受信して検波し、超音波観測する超音波観測装置に関する。
【０００２】
【従来の技術】
一般に、超音波振動子を機械的に走査させる機構を持つ超音波内視鏡や、超音波プローブと、超音波振動子を機械的に走査させながら任意のタイミング毎に駆動して、超音波振動子より超音波を送信し、このとき得られたエコー信号を受信して検波し、アナログ信号の受信データとして出力する送受信ユニットと、送受信ユニットから出力されるアナログ信号の受信データを信号処理するコンピュータ部とを備えた超音波観測装置が知られている。
【０００３】
また、本出願人は、この種の超音波観測装置の小型化、低コスト化、機能追加の容易化等の為に、特願平１１−０９３２１２号や、特願平１１−３０７３４６号に示したように従来の専用の座標変換回路、補間回路、コントローラー等の機能を装置本体内に組み込んだコンピュータボードで行わせる、いわゆるパーソナルコンピュータ・ベース（以下、ＰＣべースと略記する。）の超音波観測装置を出願した。なお、ＰＣベースとする事は、いわば規格品で安価な市販汎用ＰＣボードのハード更新と、アプリケーションソフトの可変性、バージョンアップなどで拡張性に富んだ超音波観測装置を供給出来ると云った長所から、今後の超音波観測装置の主流になると考えられている。
【０００４】
また、図８および図９はＰＣべースの超音波観測装置ａの概略構成を示すものである。ここで、超音波観測装置ａの筐体ｂの内部には電源ユニットｃや、ＰＣボード部ｄなどの各種の電気回路構成部品が内蔵されている。さらに、筐体ｂのフロントパネルｅには患者回路部となる丸型超音波機器接続コネクタｆや、角型超音波機器接続コネクタｇなどが配設されている。そして、コネクタｆには、患者の体腔内に挿入して診断する超音波内視鏡などの機器が接続され、コネクタｇには、患者の体表面に接触して診断する超音波プローブなどの機器が接続されるようになっている。
【０００５】
【発明が解決しようとする課題】
上記従来構成のものにあっては市販汎用ＰＣボードが主体の構成なのでＥＭＣ（電磁環境適合性）上のノイズ対策が困難であった。例えば、電気的に有効なノイズ対策として一般的に採られているパスコン（バイパスコンデンサ）や、フェライトビーズをＰＣボードに実装したりする技術は、ＰＣボードの改造により購入時のＰＣボードのメーカー保証を受けられなくなる場合が有る。
【０００６】
また、上記に加えて医療用のＰＣべースの超音波観測装置では、他の一般的なＰＣべース機器と比較して、ノイズ対策上で大きく不利な点が有る。すなわち、医療用のＰＣべースの超音波観測装置では、医用手技において、患者の不慮の感電を回避する為に医用電気機器安全通則の国際規格であるＩＥＣ  Ｐｕｂｌｉｃａｔｉｏｎ  ６０６０１−１に規定されている沿面距離及び空間距離を超音波観測装置の筐体に採る必要が有る。そのため、ＰＣボード部より発生する不要輻射が上記ＩＥＣ規格の規定距離の確保の為の筐体開口部から筐体外へ放射されるおそれがある。
【０００７】
例えば、超音波観測装置ａの筐体ｂの内部に基準電圧２５０ＶＡＣで基礎絶縁、又は補強絶縁した電源ユニットｃを組み込んだ場合には、上記ＩＥＣ規格を適用すれば、超音波観測装置ａの筐体ｂの外装と患者回路部となる丸型超音波機器接続コネクタｆや、角型超音波機器接続コネクタｇなどの金属部間に、空間距離で２．５ｍｍ、沿面距離で４ｍｍのスペースを確保する必要が有る。さらに、基準電圧２５０ＶＡＣで二重絶縁、又は強化絶縁した電源ユニットｃを用いた場合には超音波観測装置ａの筐体ｂの外装が２次回路に相当し、筐体ｂの外装と超音波機器接続コネクタｆ、ｇの金属部間に、空間距離で５ｍｍ、沿面距離で８ｍｍのスペースを確保する必要が有る。そして、これらのスペースが図９に示すように電気的な開口部ｈとなり、ＰＣボード部ｄから発生する不要輻射がこの電気的な開口部ｈから筐体ｂの外への放射される原因になっている。
【０００８】
本発明は上記事情に着目してなされたもので、その目的は、一般的に多量に出回っている市販の汎用ＰＣボードを適正に用いることができ、ＰＣボード部から発生する不要輻射が、従来、医用電気安全通則の国際規格の確保上で不可避であった筐体開口部（電気的な）から筐体外へ放射されることを防ぐことができ、医用上安全で、コストが低く、拡張性の高い超音波観測装置を提供することにある。
【０００９】
【課題を解決するための手段】
請求項１の発明は、超音波振動子を機械的に走査させ、任意のタイミング毎に前記超音波振動子を駆動して超音波を送信するとともに、このとき得られたエコー信号を受信して検波し、アナログ信号の受信データとして出力する送受信ユニットと、前記送受信ユニットから出力される前記アナログ信号の受信データを信号処理するコンピュータ部とが内蔵されるケースを備え、超音波機器が接続されるコネクタ部が前記ケースに配設された超音波観測用の超音波観測装置において、前記コンピュータ部と、他の電気回路部との間を分離して前記コンピュータ部からの不要輻射が前記他の電気回路部側に回り込むことを抑制する不要輻射抑制部材を前記ケース内に設け、前記コネクタ部は、前記ケース内で前記不要輻射抑制部材によって前記コンピュータ部と分離される空間側の前記ケースの壁面に配置し、前記不要輻射抑制部材は、前記コンピュータ部と、他の電気回路部との間を仕切る状態に分離する導通性を有する隔壁であり、前記ケースは、筐体の各構成板金部材であるフロントシャーシと、シャーシと、リアパネルと、トップカバーとを有し、前記隔壁は、その前端部と前記フロントシャーシとの接合部にガスケットが取付けられ、前記隔壁の下端部と前記シャーシとの接合部には溶接部、前記隔壁の後端部と前記リアパネルとの接合部にはネジ止め部、前記隔壁の上端部と前記トップカバーとの接合部には弾性を有するフィンガー部がそれぞれ設けられ、これらの接合部によって前記隔壁と、前記筐体の各構成板金部材との導通を取る取り付け構造であることを特徴とする超音波観測装置である。
そして、本請求項１の発明では、ケース内の不要輻射抑制部材によってコンピュータ部と、他の電気回路部との間を分離してコンピュータ部からの不要輻射が他の電気回路部側に回り込むことを抑制する。ここで、前記ケース内で前記不要輻射抑制部材によって前記コンピュータ部と分離される空間側の前記ケースの壁面に超音波機器が接続されるコネクタ部を配置することにより、コンピュータ部で発生した不要輻射が他の電気回路部に周り込むことを抑制し、医用電気安全確保上で不可避のコネクタ部によるケースの電気的な開口部から不要輻射がケース外へ放射されることを防ぐようにしたものである。
【００１０】
【発明の実施の形態】
以下、本発明の第１の実施の形態を図１乃至図６を参照して説明する。図１は本実施の形態のＰＣべースの超音波観測装置１を備えた医療装置２のシステム全体の概略構成を示すものである。
【００１１】
本実施の形態のＰＣべースの超音波観測装置１を備えた医療装置２のシステムは、機械走査式超音波内視鏡（以下、超音波内視鏡と略記する）３と、この超音波内視鏡３の照明光学系に観察部位を照明するための照明光を供給する光源装置４と、本実施の形態のＰＣべースの超音波観測装置１と、この超音波観測装置１に接続され、超音波診断画像を表示する表示装置５とで主に構成されている。
【００１２】
また、図１中で、６は本実施の形態の超音波観測装置１を備えた医療装置２のシステムを搭載して搬送するトロリー、７はこのトロリー６のキャスターである。ここで、トロリー６には複数段の載置棚７が配設されている。そして、トロリー６の各載置棚７上には本実施の形態の超音波観測装置１や、光源装置４などの医療器具が載置されている。
【００１３】
さらに、トロリー６の上部には作業テーブル８が配設されている。この作業テーブル８には入力装置であるキーボード９が配設されているとともに、支持台１０を介して表示装置５が装着されている。なお、キーボード９は超音波観測装置１に接続され、患者ＩＤの入力や、画質調整等が出来るようになっている。
【００１４】
また、作業テーブル８の端縁部には処置具を保持する複数の保持溝部１１が形成されている。そして、患者の体表面に接触して診断する超音波プローブ１２，１３などの処置具が各保持溝部１１に保持されている。
【００１５】
また、超音波内視鏡３は、体腔内に挿入される細長な挿入部１４と、この挿入部１４の基端部に連結された操作部１５と、この操作部１５の基端部に設けられた接眼部１６とで主に構成されている。さらに、操作部１５の側部にはユニバーサルコード１７に一端部が連結されている。このユニバーサルコード１７の他端部にはコネクタ１８が連結されている。また、コネクタ１８の側部には超音波ケーブル１９の一端部が連結されている。この超音波ケーブル１９の他端部には超音波コネクタ２０が連結されている。
【００１６】
さらに、超音波内視鏡３の挿入部１４は、細径かつ長尺で可撓性を有する可撓管部２１と、この可撓管部２１の先端部に基端部が連結された湾曲自在な湾曲部２２と、この湾曲部２２の先端部に連結された先端硬質部２３とが連設されて構成されている。ここで、可撓管部２１の基端部は操作部１５の先端部に連結されている。
【００１７】
また、先端硬質部２３の先端部には機械走査式の超音波振動子部（超音波送受信部）２４が配設されている。なお、先端硬質部２３の材質としては、耐薬品性や生体適合性の良好なポリスルフォン等の樹脂部材が用いられる。
【００１８】
さらに、操作部１５には送気及び送水操作を行なうための送気・送水ボタン２５と、吸引操作を行なうための吸引ボタン２６とが設けられているとともに、湾曲部２２を所望の方向に湾曲制御するための図示しないアングルノブが設けられている。
【００１９】
また、光源装置４には内視鏡用接続コネクタ２７が設けられている。この内視鏡用接続コネクタ２７には超音波内視鏡３のユニバーサルコード１７のコネクタ１８が着脱可能に連結されている。そして、超音波内視鏡３と光源装置４とはユニバーサルコード１７のコネクタ１８を介して着脱自在な構成になっている。
【００２０】
さらに、超音波観測装置１には丸型超音波機器接続コネクタ２８および角型超音波機器接続コネクタ２９が配設されている。そして、丸型超音波機器接続コネクタ２８には超音波内視鏡３の超音波コネクタ２０が着脱可能に接続される構成になっている。また、角型超音波機器接続コネクタ２９には患者の体表面に接触して診断する超音波プローブ１２，１３などの機器が着脱可能に接続されるようになっている。
【００２１】
なお、これらの超音波プローブ１２，１３は光源装置４との接続を必要とせず、いわゆる体外式と呼ばれる処置具であり、内視鏡３とは異なり経口的に用いるものではない。また、各超音波プローブ１２，１３の先端処置部１２ａ，１３ａは各々、適用部位の診断に適するように相異なる形状に形成されている。さらに、各超音波プローブ１２，１３の基端部には角型の接続コネクタ１２ｂ，１３ｂがそれぞれ連結されている。そして、各超音波プローブ１２，１３の接続コネクタ１２ｂ，１３ｂのいずれか一方が選択的に超音波観測装置１の角型超音波機器接続コネクタ２９に着脱可能に接続されるようになっている。
【００２２】
また、超音波観測装置１には図２に示すように箱状の筐体（ケース）３０が設けられている。この筐体３０には図３に示すように板金製のシャーシ３１の前側に板金製のフロントシャーシ３２が取付けられている。同様に、シャーシ３１の後ろ側には板金製のリアパネル３３が取付けられている。そして、フロントシャーシ３２には図示しないタッピングビスで樹脂製のフロントパネル３４が取付けられている。さらに、筐体３０の上面には板金製のトップカバー３５が取外し可能に取付けられている。
【００２３】
また、筐体３０内には電源ユニット３６と、超音波を発生させる駆動信号を生成するとともに、受信した超音波信号に対する信号処理を行う送受信回路ユニット（送受信ユニット）３７と、送受信回路ユニット３７から出力されるアナログ信号の受信データを信号処理するＰＣ部（コンピュータ部）３８とが内蔵されている。ここで、電源ユニット３６はシャーシ３１に取付けられている。さらに、電源ユニット３６の天面には送信受信回路ユニット３７や各種出力コネクタを備えた背面基板３９が取付けられている。
【００２４】
また、ＰＣ部３８は電源ユニット３６の横に対向配置されている。このＰＣ部３８には、図３に示すようにシャーシ３１に取付けたバックプレーン４０上のＰＣＩ規格のコネクタに接続された複数の拡張ボード、例えばＣＰＵボード４１と、ビデオボード４２と、Ａ／Ｄ変換ボード４３とが設けられているとともに、ＩＳＡ規格のコネクタに接続された複数の拡張ボード、例えばシリアル拡張ボード４４と、エンコーダボード４５とが設けられている。
【００２５】
さらに、フロントシャーシ３２には、ＰＣ部３８を空冷するファン４６が取付けられている。そして、フロントパネル３４の裏面に設けた図示しないダクト部からの空気をこのファン４６によって吸引するようになっている。
【００２６】
また、フロントパネル３４には上部側に丸型超音波機器接続コネクタ２８、この丸型超音波機器接続コネクタ２８の下方に角型超音波機器接続コネクタ２９がそれぞれ配置されている。ここで、シャーシ３１にはコネクタ保持用の保持板４７が取付けられている。そして、この保持板４７に上方側の丸型超音波機器接続コネクタ２８が取付けられている。さらに、角型超音波機器接続コネクタ２９はフロントシャーシ３２に図示しないネジで固定されている。
【００２７】
また、超音波観測装置１の筐体３０の内部には、ＰＣ部３８と、他の電気回路部（電源ユニット３６や送信受信回路ユニット３７等）との間に導通性を有する隔壁（不要輻射抑制部材）５０が取付けられている。そして、この隔壁５０によってＰＣ部３８と、他の電気回路部との間を仕切る状態に分離してＰＣ部３８からの不要輻射が他の電気回路部側に回り込むことを抑制するようになっている。
【００２８】
また、図６に示すように隔壁５０の前端部とフロントシャーシ３２との接合部にはスポンジ状のガスケット５１が取付けられている。さらに、隔壁５０の下端部とシャーシ３１との接合部にはスポット溶接されたスポット溶接部５２、隔壁５０の後端部とリアパネル３３との接合部にはネジ止め部５３、隔壁５０の上端部とトップカバー３５との接合部には弾性を有するフィンガー部５４がそれぞれ設けられている。そして、これらの接合部によって隔壁５０と、筐体３０の各構成板金部材であるフロントシャーシ３２、シャーシ３１、リアパネル３３、トップカバー３５との導通を取るようになっている。なお、隔壁５０には電源ユニット３６からバックプレーン４０に給電するケーブル５５が通過する必要最小限の大きさの穴５６が形成されている。
【００２９】
さらに、超音波観測装置１のフロントパネル３４には図４に示すようにメインスイッチ５７と、メンブレンシート５８と、パイロットランプ５９と、ハードディスクアクセスランプ６０と、丸型／角型接続コネクタ供電スイッチ６１とがそれぞれ配設されている。
【００３０】
また、筐体３０の内部には、ＰＣ部３８側にハードディスク６２や、メモリーボード６３などが組み込まれている。さらに、筐体３０のリアパネル３３には図５に示すようにインレット６４、ブレーカー６５、電源ファン６６、ＰＣボードブラケット６７などが配設されているとともに、複数の通気穴６８が形成されている。
【００３１】
次に、上記構成の作用について説明する。本実施の形態のＰＣベース超音波診断装置１で超音波診断を行う場合、まず、メインスイッチ５７をＯＮにして超音波診断装置１の装置本体を立ち上げ、超音波内視鏡３の超音波コネクタ２０を超音波診断装置１の丸型超音波機器接続コネクタ２８に連結する。このとき、丸型超音波機器接続コネクタ２８の端子が超音波内視鏡３の超音波コネクタ２０の端子と接触して、超音波内視鏡３は超音波診断装置１に電気的に接続される。
【００３２】
同様に、超音波診断装置１の角型超音波機器接続コネクタ２９には患者の体表面に接触して診断する超音波プローブ１２，１３などの機器の角型の接続コネクタ１２ｂ，１３ｂが着脱可能に接続される。このとき、複数の超音波プローブ１２，１３の接続コネクタ１２ｂ，１３ｂのいずれか一つが選択的に超音波観測装置１の角型超音波機器接続コネクタ２９に着脱可能に接続される。
【００３３】
その後、丸型／角型接続コネクタ供電スイッチ６１を押して電源ユニット３６から丸型超音波機器接続コネクタ２８および角型超音波機器接続コネクタ２９への電源供給をＯＮする。
そして、送受信回路ユニット３７からの送信パルスは図示しない信号ラインを通り丸型超音波機器接続コネクタ２８から超音波内視鏡３の振動子へ送られる。このとき、振動子からの反射信号は丸型超音波機器接続コネクタ２８から信号ラインを通り、ＰＣ部３８ヘ送られ、このＰＣ部３８で信号処理することにより超音波診断画像を表示する表示装置５上に超音波画像が構築される。
【００３４】
また、ＰＣ部３８の周囲はトップカバー３５、シャーシ３１、フロントシャーシ３２、リアパネル３３と隔壁５０とで覆われたシールド構造になっている為に、超音波診断装置１の動作中にＰＣ部３８で発生するノイズ、特にＣＰＵボード４１のべースクロックに起因するノイズはこのシールド内に封止される。従って、図４に示すように筐体３０のフロントシャーシ３２と丸型超音波機器接続コネクタ２８および角型超音波機器接続コネクタ２９の金属部間のスペースによって形成される電気的な開口部６７から不要輻射が筐体３０の外に放射されることを防ぐことができる。
【００３５】
そこで、上記構成のものにあっては次の効果を奏する。すなわち、本実施の形態では、超音波観測装置１の筐体３０の内部のＰＣ部３８と、他の電気回路部（電源ユニット３６や送信受信回路ユニット３７等）との間に導通性を有する隔壁５０を取付け、この隔壁５０によってＰＣ部３８と、他の電気回路部との間を仕切る状態に分離してＰＣ部３８からの不要輻射が他の電気回路部側に回り込むことを抑制するようにしている。ここで、隔壁５０自体とその筐体３０への接触部や組付部には導通性をもたせ、この隔壁５０によるシールドにより、ＰＣ部３８で発生した不要輻射が他の電気回路部に周り込みことを抑制し、医用電気安全確保上で不可避の筐体３０の電気的な開口部６７から不要輻射が筐体３０の外へ放射されることを防ぐことができる。そのため、本実施の形態では筐体３０の内部に略板状の隔壁５０を配設するだけで筐体３０の外装部材にシールド機能を兼ねさせることができるので、ＰＣ部３８を覆う他の箱状のシールド部材を設ける必要がない。その結果、超音波観測装置１の部品形状単純化による、低コスト化や、軽量化が実現できる。
【００３６】
また、図７は本発明の第２の実施の形態を示すものである。本実施の形態は第１の実施の形態（図１乃至図６参照）の超音波観測装置１の筐体３０の内部に隔壁５０を装着する構成のＰＣ部隔壁シールドタイプに代えて超音波観測装置１の筐体３０のシャーシ３１に板金製で枠状のカードケージ７１を取付けたＰＣ部カードケージ状シールドタイプに変更したものである。なお、これ以外の部分は第１の実施の形態の超音波観測装置１と同一構成になっており、第１の実施の形態の超音波観測装置１と同一部分には同一の符号を付してここではその説明を省略する。
【００３７】
すなわち、本実施の形態のカードケージ７１の天面側には複数のフランジ部７２が有り、図示しない板状の蓋体がネジ固定可能になっている。さらに、ＰＣボードブラケット６７は第１の実施の形態のように筐体３０の外に露出しておらず、一旦、中継基板７３で受けた後、中継基板７３上に実装したコネクタ７４が筐体３０の外に露出している。なお、中継基板７３上には図示しないパスコンやフェライトビーズ等のＥＭＣ対策部品が実装されている。
【００３８】
また、カードケージ７１の壁面にはケーブル５５が通る切り欠きが設けてあり、また、円柱状のフェライトコア７５やフラットなフェライトコア７６が取付可能になっている。これらのフェライトコア７５、７６にはノイズが伝播し易い映像系の同軸若しくはフラットなハーネスが通るようになっている。
【００３９】
また、ＣＰＵボード４１のように長めのＰＣボードの端面７７にはカードケージ７１の壁面かシャーシ３１に取付けたレール７８によってガタツキが規制されている。（目的：輸送時の振動防止）
なお、ファン４６はカードケージ７１の前側側面にネジ止めされており、その通気穴には風量を確保しつつ、シールド性を兼ね備えた金網が共締めしてある。
【００４０】
そこで、上記構成の本実施の形態にあっては超音波診断装置１のＰＣ部３８の周囲はカードケージ７１やこれに取付く図示しない蓋体、シャーシ３１で覆われたシールド構造になっている為に、超音波診断装置１の動作中にＰＣ部３８で発生するノイズ（特にＣＰＵボード４１のべースクロックに起因するノイズ。）はこのシールド内に封止される。従って、筐体３０のフロントシャーシ３２の開口部６７から不要輻射が筐体３０の外に放射されることを防ぐことができる。
【００４１】
また、本実施の形態のカードケージ７１では第１の実施の形態の隔壁５０のように電源ユニット３６からバックプレーン４０に給電するケーブル５５が通過する穴５６が無いので、より一層シールド効果を高める事が出来る。なお、隔壁５０の穴５６はケーブル５５端のコネクタが通る大きさの穴である必要があり、ケーブル５５の太さ分の大きさのみでは不可である。
【００４２】
また、本実施の形態ではＰＣボードブラケット６７が筐体３０の外に露出していないので、中継基板７３に実装したパスコンやフェライトビーズ等のＥＭＣ対策部品が機能する為にシールド効果が高い。なお、この対策は市販の汎用ＰＣボードに手を加える必要がないので、ＰＣボードメーカーの部品保証が切れて受けられなくなるおそれも無い。
【００４３】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  超音波振動子を機械的に走査させる機構を持つ超音波内視鏡や超音波プローブと、前記超音波振動子より超音波を機械的に走査させながら任意のタイミング毎に駆動して、前記超音波振動子より超音波を送信し、得られたエコー信号を受信して検波し、アナログ信号の受信データとして出力する送受信ユニットと、前記送受信ユニットから出力される前記アナログ信号の受信データを信号処理するコンピュータ部とを備えた超音波観測装置に於いて、
前記コンピュータ部と他の電気回路部を分離する導通部材を超音波観測装置筐体内に設けた事を特徴とする超音波観測装置。
【００４４】
（付記項２）  超音波振動子はアレイ状に配列された複数の圧電体エレメントからなる電子走査用トランスデューサを電子的に走査して、超音波受波信号を出力する電子走査用受波ユニットと、前記超音波振動子より超音波を送信し、得られたエコー信号を受信して検波し、アナログ信号の受信データとして出力する送受信ユニットと、前記送受信ユニットから出力される前記アナログ信号の受信データを信号処理するコンピュータ部とを備えた超音波観測装置に於いて、
前記コンピュータ部と他の電気回路部を分離する導通部材を超音波観測装置筐体内に設けた事を特徴とする超音波観測装置。
【００４５】
（付記項３）  超音波内視鏡や超音波プローブを接続するコネクタの金属部近傍と、その周囲の筐体金属部との間に医用電気安全確保上の空隙を有する事を特徴とする付記項１、若しくは付記項２に記載の超音波観測装置。
【００４６】
（付記項１〜３の従来技術）  特願平１１−０９３２１２号や特願平１１−３０７３４６号に示すように近年、装置の小型化、低コスト化、機能追加の容易化等の為に、従来の専用の座標変換回路、補間回路、コントローラー等の機能をコンピュータボードで行わせる、いわゆるＰＣベース（パーソナルコンピュータ・ベース、以下はＰＣべースと略記する。）の超音波観測装置が開発されている。ＰＣベースとする事は、いわば規格品で安価な市販汎用ＰＣボードのハード更新とアプリケーションソフトの可変性・Ｖｅｒ，ｕｐで拡張性に富んだ観測装置を供給出来ると云った長所から、今後の超音波観測装置の主流になると考えられている。
【００４７】
（付記項１〜３が解決しようとする課題）  しかしながら、従来の技術では下記の問題点が有る。
・市販汎用ＰＣボードが主体の構成なのでＥＭＣ上のノイズ対策が困難であった。例えば、極、一般的に採られる電気的な有効ノイズ対策であるパスコンやフェライトビーズを実装したりする事は、改造により購入時のＰＣボードのメーカー保証を受けられなくなる場合が有る。
【００４８】
・また、上記に加えて医療用のＰＣべースの超音波観測装置は一般的なＰＣべース機器と比較して、ノイズ上で大きく不利な点が有る。それは医用手技に於いて、患者の不慮の感電を回避する為に医用電気機器安全通則の国際規格であるＩＥＣ  Ｐｕｂｌｉｃａｔｉｏｎ  ６０６０１−１に規定されている沿面距離及び空間距離を超音波観測装置筐体に採る必要が有り、前記距離確保の為の筐体開口部からＰＣボード部より発生する不要輻射が不可避であると云う欠点が有った。
【００４９】
・この欠点を具体的に図８および図９で説明する。前記ＩＥＣ規格を適用すれば、基準電圧２５０ＶＡＣで基礎絶縁、又は補強絶縁した電源ユニットｃを用いた場合は超音波観測装置ａ筐体外装と患者回路部となる丸型超音波機器接続コネクタｆや角型超音波機器接続コネクタｇの金属部の間に於いて、空間距離で２．５ｍｍ、沿面距離で４ｍｍのスペースを確保する必要が有る。基準電圧２５０ＶＡＣで二重絶縁、又は強化絶縁した電源ユニットを用いた場合は超音波観測装置１筐体外装が２次回路に相当し、前記筐体外装と超音波機器接続コネクタｆ、ｇの金属部の間に於いて、空間距離で５ｍｍ、沿面距離で８ｍｍのスペースを確保する必要が有る。これらのスペースが開口部ｈとなり、ＰＣボード部ｄより発生する不要輻射の筐体外への放射原因になっていた。
【００５０】
・なお、丸型超音波機器接続コネクタｆへの接続機器としては患者の体腔内に挿入して診断する超音波内視鏡が、角型超音波機器接続コネクタｇへの接続機器としては患者の体表面に接触して診断する超音波プローブ等がある。
【００５１】
（付記項１〜３の課題を解決するための手段および作用）  ＰＣボード部と他部分（送信回路／受信回路・電源ユニット・丸型／角型コネクタ等）を分離する隔壁を筐体内に設け、隔壁自体とその筐体への接触部や組付部には導通性をもたせる。この隔壁シールドにより、ＰＣボード部で発生した不要輻射の上記他部分への周り込みを抑制し、医用電気安全確保上で不可避の筐体開口部（電気的な）からの不要輻射の筐体外への放射を防ぐ。
【００５２】
（付記項１〜３の効果）  ＰＣベースの超音波観測装置に於いて、従来、医用電気安全確保上で不可避であった筐体開口部（電気的な）からのＰＣ部不要輻射の筐体外への放射を防ぐ事が可能になり、医用上安全で、大量に出回っている市販の汎用ＰＣボードを用いた為にコストが低く、拡張性の高い超音波観測装置を本願により提供する事が可能になる。
【００５３】
【発明の効果】
本発明によれば、コンピュータ部と、他の電気回路部との間を分離してコンピュータ部からの不要輻射が他の電気回路部側に回り込むことを抑制する不要輻射抑制部材をケース内に設けたので、一般的に多量に出回っている市販の汎用ＰＣボードを適正に用いることができ、ＰＣボード部から発生する不要輻射が、従来、医用電気安全通則の国際規格の確保上で不可避であった筐体開口部（電気的な）から筐体外へ放射されることを防ぐことができ、医用上安全で、コストが低く、かつ装置の拡張性を高めることができる。
【図面の簡単な説明】
【図１】  本発明の第１の実施の形態の超音波観測装置を備えた医療装置のシステム全体の概略構成を示す斜視図。
【図２】  第１の実施の形態の超音波観測装置の概略構成を示す斜視図。
【図３】  第１の実施の形態の超音波観測装置の横断面図。
【図４】  第１の実施の形態の超音波観測装置のフロントパネルを示す正面図。
【図５】  第１の実施の形態の超音波観測装置の背面板を示す正面図。
【図６】  第１の実施の形態の超音波観測装置における筐体内の隔壁を示す斜視図。
【図７】  本発明の第２の実施の形態の超音波観測装置の内部構成を示す横断面図。
【図８】  従来の超音波観測装置の内部構成を示す斜視図。
【図９】  従来の超音波観測装置のフロントパネルを示す正面図。
【符号の説明】
２４    超音波振動子部（超音波送受信部）
３０    筐体（ケース）
３７    送受信回路ユニット（送受信ユニット）
３８    ＰＣ部（コンピュータ部）
５０    隔壁（不要輻射抑制部材）
【図１】
0003917800.tif 000002
【図２】
0003917800.tif 000003
【図３】
0003917800.tif 000004
【図４】
0003917800.tif 000005
【図５】
0003917800.tif 000006
【図６】
0003917800.tif 000007
【図７】
0003917800.tif 000008
【図８】
0003917800.tif 000009
【図９】
0003917800.tif 000010